(57)【要約】【課題】太陽光の影響や、トレイガイドに設けた透明な窓の汚れや傷の影響を受けずにトレイを正確に読み取ることができる精算装置を提供する。【解決手段】取付用板バネ１２はネジ１８によりトレイ１に装着されるとともに、取付用板バネ１２に対しトレイ１に取り付けられたネジ９が当接するようにされ、ネジ９の回転させることにより支点１７を回動中心にトレイ検出センサ６の取付方向１３を調整可能としている。またトレイ１に設ける窓８にはカウンタテーブル５に対し直角に曲がったフードを取り付けるとともにフード形状の窓８の上端には鏡３を接着等で固定するように取り付け、トレイ検出センサ６の発光ダイオード（図示せず）から放出された光が鏡３で反射されてトレイ４を照射し、トレイ４により反射された光が鏡３を介してトレイ検出センサ６のフォトトランジスタ（図示せず）により検出される。【選択図】    図１
2004152238.tif 000002
【特許請求の範囲】
【請求項１】
ＩＤタグ付きの食器を載せた食堂用のトレイが配置されるカウンタテーブルと、前記カウンタテーブルに載せられた前記食器のＩＤタグからＩＤを読み出す読取手段と、前記読取手段が読み出した信号から前記トレイ単位に一括して料金計算を行なう料金計算手段と、前記料金計算手段により計算された料金を表示する表示手段とを備える精算装置において、
前記トレイが載置される側にフードを有し、光の通過する窓を備え、前記フードの近傍の天井部に反射手段を設置し、角度調整手段により設置角度を調整し前記反射手段の光反射角度を調整可能とするトレイ検出センサを設置し、前記トレイ検出センサから放出された光が前記反射手段により反射されて前記トレイを照射するトレイガイドとを備えることを特徴とする精算装置。
【請求項２】
前記角度調整手段は、取付用板バネに設置された前記トレイ検出センサに対し前記取付用板バネに当接するネジの回転により調整するものであることを特徴とする請求項１に記載の精算装置。
【請求項３】
前記フードは、前記カウンタテーブルに対し直角であることを特徴とする請求項１に記載の精算装置。
【請求項４】
前記フードは、前記カウンタテーブルに対し水平に延ばされていることを特徴とする請求項１に記載の精算装置。
【請求項５】
ＩＤタグ付きの食器を載せた食堂用のトレイが配置されるカウンタテーブルと、前記カウンタテーブルに載せられた前記食器のＩＤタグからＩＤを読み出す読取手段と、前記読取手段が読み出した信号から前記トレイ単位に一括して料金計算を行なう料金計算手段と、前記料金計算手段により計算された料金を表示する表示手段とを備える精算装置において、
前記トレイが載置される側にフードを有し、光を通過する窓を備え、前記フードの近傍の天井部に角度調整手段により設置角度が調整される反射手段を設置するとともにトレイ検出センサ取付台に予め設定された角度で取り付けられるトレイ検出センサを設置し、前記トレイ検出センサから放出された光が前記反射手段により反射されて前記トレイを照射するトレイガイドとを備えることを特徴とする精算装置。
【請求項６】
前記角度調整手段は、取付用板バネに設置された前記反射手段に対し前記取付用板バネに当接するネジの回転により調整するものであることを特徴とする請求項５に記載の精算装置。
【請求項７】
前記フードは、前記カウンタテーブルに対し直角であることを特徴とする請求項５に記載の精算装置。
【請求項８】
前記フードは、前記カウンタテーブルに対し水平に延ばされていることを特徴とする請求項５に記載の精算装置。
【発明の詳細な説明】
【０００１】
【発明の属する技術分野】
本発明は、ＩＣタグを付した食器をトレイに載せてカウンタテーブルに移動させると、トレイ単位に支払い料金を読み出して一括精算することができるようにした食堂の料金精算システムにおける精算装置に関するものである。
【０００２】
【従来の技術】
食堂の料金精算システムにおける精算装置としては、本出願人によって出願された特願２００２−１４３２１５（以下、特許文献１という）に記載されている。
【０００３】
【特許文献１】
特願２００２−１４３２１５
【０００４】
図４は上記特許文献１に記載される精算装置の概略構成を示すものであり、図４に示されるトレイガイド２９（図４ではトレイ１０１に接する左側のトレイガイド２９ｂが図示されている）として、図５（ａ）及び図５（ｂ）に示すように、トレイを検出するトレイ検出センサ５５を内部に備えるトレイガイド２９と、トレイガイド２９のトレイ検出センサ５５の読取位置に設けられた透明の窓５０と、透明の窓５０の周囲を囲むように透明の窓５０より突出する弾性部材５１とを備えるようにして、トレイ（図示せず）とトレイ検出センサの読取位置に設けた窓５０との接触を防止して窓の汚れ及び破損を防止するようにした。
【０００５】
【発明が解決しようとする課題】
このように従来の精算装置におけるトレイガイドの構成では、トレイとトレイ検出センサの読取位置に設けた窓との接触を防止して窓の汚れ及び破損を防止することはできても、トレイ等に付着した水分などがトレイガイドの窓に飛散して窓の汚れを完全に除去することができず、また、汚れた窓を布等で拭き取ることで透明な窓に傷ができてしまい、この汚れや傷により読み取り精度が低下してしまうという問題があった。
【０００６】
また、従来の精算装置におけるトレイガイドの構成では、太陽光の影響を受けやすい構造となっていたため、太陽光の影響で読み取り精度が低下してしまうという問題があった。
【０００７】
本発明は、上記従来の問題点を解決するもので、太陽光の影響や、トレイガイドに設けた透明な窓の汚れや傷の影響を受けずにトレイを正確に読み取ることができる精算装置を提供することを目的とする。
【０００８】
【課題を解決するための手段】
上記目的を達成するために本発明は、ＩＤタグ付きの食器を載せた食堂用のトレイが配置されるカウンタテーブルと、前記カウンタテーブルに載せられた前記食器のＩＤタグからＩＤを読み出す読取手段と、前記読取手段が読み出した信号から前記トレイ単位に一括して料金計算を行なう料金計算手段と、前記料金計算手段により計算された料金を表示する表示手段とを備える精算装置において、前記トレイが載置される側にフードを有し、光の通過する窓を備え、前記フードの近傍の天井部に反射手段を設置し、角度調整手段により設置角度を調整し前記反射手段の光反射角度を調整可能とするトレイ検出センサを設置し、前記トレイ検出センサから放出された光が前記反射手段により反射されて前記トレイを照射するトレイガイドとを備えることを特徴とするものであり、このように構成することにより、太陽光の影響や、トレイガイドに設けた透明な窓の汚れや傷の影響を受けずにトレイを正確に読み取ることができる。
【０００９】
【発明の実施の形態】
以下、本発明の実施の形態について、図面を参照しながら説明する。
【００１０】
（第１の実施の形態）
図１は、本発明の第１の実施形態における精算装置に係るトレイガイドの構成を示す窓部付近の側面断面図である。なお、図１においてネジ９、１８及び１９については透視図となっており、また反射手段としての鏡３、トレイ４、カウンタテーブル５、トレイ検出センサ６及び取付用板バネ１２については側面から見た図を示している。
【００１１】
図１を用いて本発明のトレイガイドの構成を説明するが、トレイガイド以外の精算装置の構成は、上記従来の精算ユニット体の構成と同様であるので、ここではその説明を省略する。
【００１２】
図１において本発明のトレイガイド１の内部には、発光ダイオード及びフォトトランジスタを内蔵するトレイ検出センサ６が取付用ネジ１９を介して取付用板バネ１２に取り付けられる。取付用板バネ１２は取付用ネジ１８によりトレイ１に装着されるとともに、取付用板バネ１２に対しトレイ１に取り付けられた角度調整用ネジ９が当接するようにされ、角度調整用ネジ９を回転させることにより支点１７を回動中心にトレイ検出センサ６の取付方向１３を調整可能としている。
【００１３】
またトレイ１に設ける窓８にはカウンタテーブル５に対し直角に曲がったフードを取り付けるとともにフードの近傍の天井部に鏡３を接着等で固定するように取り付け、トレイ検出センサ６の発光ダイオード（図示せず）から放出された光が鏡３で反射されてトレイ４を照射し、トレイ４により反射された光が鏡３を介してトレイ検出センサ６のフォトトランジスタ（図示せず）により検出される。
【００１４】
なお図１においてトレイガイド１は、カウンタテーブル５に載置されており、トレイ４の挿入方向１１から食器が載ったトレイ４がトレイガイド１に当接した際にトレイを検出するようになっているが、トレイ検出センサ６における光放出の角度を調節すればトレイガイド１に当接させなくてもトレイ４を検出することができるので、トレイ４の検出範囲を可変することができる。
【００１５】
このように本発明の第１の実施形態によれば、トレイガイド内に角度調整機能を付加したトレイ検出センサを設け、トレイ検出センサから放出された光をフード形状の窓に設けた取付位置が固定された鏡で反射させてトレイを検出するようにしているため、トレイガイドに設けた窓が汚れや傷の影響を受けずにトレイを正確に読み取ることができる。さらにフード形状がカウンタテーブルに対し直角に曲げられた窓を備えているので、太陽光の影響を受けずにトレイを正確に読み取ることができる。
【００１６】
（第２の実施の形態）
図２は、本発明の第２の実施形態における精算装置に係るトレイガイドの構成を示す窓部付近の側面断面図である。図２が図１と異なるところは、トレイ検出センサ６の取付位置は固定とし、角度調整機能を鏡３に付加して、トレイ検出センサ６から放出された光を角度調整機能付き鏡３で調整してトレイ検出を行う点であり、それ以外は上記図１に示した第１の実施形態と同様である。また図２においてネジ９、１８、１９及び２０については透視図となっており、また鏡３、トレイ４、カウンタテーブル５、トレイ検出センサ６及び取付用板バネ１２については側面から見た図を示している。
【００１７】
図２を用いて本発明のトレイガイドの構成を説明するが、トレイガイド以外の精算装置の構成は、上記従来の精算ユニット体の構成と同様であるのでここではその説明を省略する。
【００１８】
図２において本発明のトレイガイド１の内部において、発光ダイオード及びフォトトランジスタを内蔵するトレイ検出センサ６は、取付用ネジ２０によってカウンタテーブル５に取り付けられたトレイ検出センサ取付台７に予め設定された取付角度で取付用ネジ１９により取り付けられる。
【００１９】
またトレイ１に設ける窓８にはカウンタテーブル５に対し直角に曲がったフードを取り付けるとともにフードの近傍の天井部に角度調整機能が付加された反射手段としての鏡３が取り付けられる。
【００２０】
つまり、鏡３は取付用板バネ１２に接着されるとともに取付用板バネ１２は取付用ネジ１８によりトレイ１に取り付けられるとともに、取付用板バネ１２に対しトレイ１に取り付けられた角度調整用ネジ９が当接するようにされ、角度調整用ネジ９を回転させることにより支点１７を回動中心に鏡３の角度調整方向１３を調整可能としている。
【００２１】
図２においてトレイ検出センサ６の発光ダイオード（図示せず）から放出された光が角度調整機能付き鏡３で反射されてトレイ４を照射し、トレイ４により反射された光が角度調整機能付き鏡３を介してトレイ検出センサ６のフォトトランジスタ（図示せず）により検出される。
【００２２】
なお図２においてトレイガイド１は、カウンタテーブル５に載置されており、トレイ４の挿入方向１１から食器が載ったトレイ４がトレイガイド１に当接した際にトレイを検出するようになっているが、鏡３における光反射角度を調節すればトレイガイド１に当接させなくてもトレイ４を検出することができるので、トレイ４の検出範囲を可変することができる。
【００２３】
このように本発明の第２の実施形態によれば、トレイガイドに予め取付角度が固定されたトレイ検出センサを設け、トレイ検出センサから放出された光をフード形状の窓に設けた角度調整機能付き鏡で反射させてトレイを検出するようにしているため、トレイガイドに設けた窓が汚れや傷の影響を受けずにトレイを正確に読み取ることができる。さらにフード形状がカウンタテーブルに対し直角に曲げられた窓を備えているので、太陽光の影響を受けずにトレイを正確に読み取ることができる。
【００２４】
（第３の実施の形態）
図３は、本発明の第３の実施形態における精算装置に係るトレイガイドの構成を示す斜視図である。図３が、図１及び図２と異なるところは、トレイ１に設ける窓８にはカウンタテーブル５に対し水平に延ばされたフード１６が取り付けられている点であり、それ以外は図１に示した第１の実施形態及び図２に示した第２の実施形態と同様であるでその説明を省略することにする。
【００２５】
このように本発明の第３の実施形態によれば、トレイガイドに角度調整機能付きトレイ検出センサを設けるか、又は、トレイ検出センサから放出された光をフード形状の窓に設けた角度調整機能付き鏡で反射させるか、のいずれかの角度調整方法を採用してトレイを検出するようにしているため、トレイガイドに設けた窓が汚れや傷の影響を受けずにトレイを正確に読み取ることができる。さらにフード形状がカウンタテーブルに対し水平に延ばされた窓を備えているので、太陽光の影響を受けずにトレイを正確に読み取ることができる。
【００２６】
【発明の効果】
以上説明したように本発明によれば、太陽光の影響や、トレイガイドに設けた透明な窓の汚れや傷の影響を受けずにトレイを正確に読み取ることができるという効果を有する。
【図面の簡単な説明】
【図１】本発明の第１の実施形態における精算装置に係るトレイガイドの構成を示す側面図
【図２】本発明の第２の実施形態における精算装置に係るトレイガイドの構成を示す側面図
【図３】本発明の第３の実施形態における精算装置に係るトレイガイドの構成を示す斜視図
【図４】従来の料金精算システムの構成配置例を示す斜視図
【図５】（ａ）従来のトレイガイドの構成を示す平面図
（ｂ）従来のトレイガイドの構成を示す正面図
【符号の説明】
１  トレイガイド
３  鏡（反射手段）
４  トレイ
５  カウンタテーブル
６  トレイ検出センサ
７  トレイ検出センサ取付台
８  窓（フード付き）
９  角度調整用ネジ
１０  ダストユニット体
１１  トレイ挿入方向
１２  取付用板バネ
１３  角度調整方向
１６  フード
１７  支点
１８  取付用ネジ
１９  取付用ネジ
２０  精算ユニット体
２１  ユニット本体部
２２  カウンタテーブル
２２ａ  リーダ部
２２ｂ  カウンタ部
２３  ターミナル設置台
２９ｂ  トレイガイド（位置決め突起）
３０  ＰＯＳ端末装置
３３  台部
４１  磁気カードリーダ
４２  ＩＣカードリーダ
５０  窓
５１  弾性部材
５５  トレイ検出センサ
６０  ネジ
１０１  トレイ
【図１】
2004152238.tif 000003
【図２】
2004152238.tif 000004
【図３】
2004152238.tif 000005
【図４】
2004152238.tif 000006
【図５】
2004152238.tif 000007